(57)【要約】【課題】ユーザに必要とされる操作等の手間を極力簡易化しながら、被写体の有する色に対応してより色鮮やかなカラー画像を得る。【解決手段】画像を撮影するレンズ光学系22、ＣＣＤ23その他と、撮影で得た画像データにより強調する色成分を自動決定し、決定した色成分に基づいて撮影で得た画像データを構成する各画素に色強調処理を施す制御部32と、色強調処理を施した画像データを記録するフラッシュメモリ38とを備える。【選択図】    図２
2004201224.tif 000002
【特許請求の範囲】
【請求項１】
被写体像を画像データとして取込む撮影手段と、
この撮影手段で得た画像データに基づいて強調する色成分を決定する決定手段と、
この決定手段で決定した色成分に基づいて上記撮影手段で得た画像データを構成する各画素に色強調処理を施す色強調手段と、
この色強調手段で色強調処理を施した画像データを記録する記録手段と
を具備したことを特徴とする電子カメラ。
【請求項２】
上記決定手段は、画像データ中の最も使用されている色成分の度合いと２番目に使用されている色成分の度合いの比により色強調の実行の有無を含めて決定することを特徴とする請求項１記載の電子カメラ。
【請求項３】
上記決定手段は、画像データを複数のエリアに分割し、分割した個々のエリア毎に強調する色成分を自動決定し、
上記色強調手段は、上記決定手段がエリア毎に決定した色成分に基づいてそのエリア内の各画素に色強調処理を施す
ことを特徴とする請求項１記載の電子カメラ。
【請求項４】
上記決定手段は、画像データ中を複数のエリアに分割し、分割した複数のエリア中の特定のエリアにより強調する色成分を自動決定することを特徴とする請求項１記載の電子カメラ。
【請求項５】
上記特定のエリアは画像データの中央に位置することを特徴とする請求項４記載の電子カメラ。
【請求項６】
撮影準備状態にある上記撮影手段で得られる画像を表示する表示手段をさらに具備し、
上記決定手段は、撮影準備状態にある上記撮影手段で得られる画像から強調する色成分を自動決定し、
上記色強調手段は、上記決定手段で決定した色成分に基づいて撮影準備状態にある上記撮影手段で得られた画像に色強調処理を施し、上記表示手段で表示させる
ことを特徴とする請求項１記載の電子カメラ。
【請求項７】
与えられる画像データに基づいて強調する色成分を決定する決定工程と、
この決定工程で決定した色成分に基づいて上記与えられる画像データを構成する各画素に色強調処理を施す色強調工程と、
この色強調工程で色強調処理を施した画像データを記録する記録工程と
を有したことを特徴とする画像処理方法。
【請求項８】
与えられる画像データに基づいて強調する色成分を決定する決定ステップと、この決定ステップで決定した色成分に基づいて上記与えられる画像データを構成する各画素に色強調処理を施す色強調ステップと、
この色強調ステップで色強調処理を施した画像データを記録する記録ステップと
をコンピュータに実行させることを特徴とするプログラム。
【発明の詳細な説明】
【０００１】
【発明の属する技術分野】
本発明は、電子カメラ、画像処理方法及びプログラムに関する。
【０００２】
【従来の技術】
近時、銀塩フィルムを使用したカメラに代えて、撮影により画像の電子データを得て半導体メモリに記録させるデジタルスチルカメラ（以下「デジタルカメラ」と称する）が広く一般に普及している。
【０００３】
この種のデジタルカメラでは、撮影により得た画像データに対する各種画像処理が比較的容易に行なえることから、色調に関する処理でも、モノクロ調、セピア調の画像を得るものから、ホワイトバランスを意図的に変更設定することで、赤みが強い画像、青みが強い画像等をカラーフィルタなしに得ることができるものもある。
【０００４】
また、被写体に応じて上記色調の補正処理を行なうことで、より自然な、あるいはより鮮やかな画像を得ることができるようにした技術も考えられている。（例えば、特許文献１参照。）
【０００５】
【特許文献１】
特開２０００−０６９４９６号公報
【０００６】
【発明が解決しようとする課題】
しかしながら、上記特許文献１の技術も含めて従来のデジタルカメラはいずれも、そのデジタルカメラを用いて撮影を行なうユーザ自身が例えば「赤い花」「人物の肌」「夕日」「青空」のような被写体に対応した選択操作を行なうことで補正内容を指定することにより、カメラ側がその指定に対応した色調の補正処理を実行するようになる。
【０００７】
したがって、ユーザが色調の補正処理内容の選択指定をしなかった場合、あるいは間違った選択指定を行った場合には、当然ながらユーザが所望する色調での画像を得ることができない。
【０００８】
本発明は上記のような実情に鑑みてなされたもので、その目的とするところは、ユーザに必要とされる操作等の手間を極力簡易化しながら、被写体の有する色に対応してより色鮮やかなカラー画像を得ることが可能な電子カメラ、画像処理方法及びプログラムを提供することにある。
【０００９】
【課題を解決するための手段】
請求項１記載の発明は、被写体像を画像データとして取込む撮影手段と、この撮影手段で得た画像データに基づいて強調する色成分を自動決定する決定手段と、この決定手段で決定した色成分に基づいて上記撮影手段で得た画像データを構成する各画素に色強調処理を施す色強調手段と、この色強調手段で色強調処理を施した画像データを記録する記録手段とを具備したことを特徴とする。
【００１０】
このような構成とすれば、ユーザに必要とされる操作等の手間を極力簡易化しながら、被写体の有する色に対応してより色鮮やかなカラー画像を得ることが可能となる。
【００１１】
請求項２記載の発明は、上記請求項１記載の発明において、上記決定手段は、画像データ中の最も使用されている色成分の度合いと２番目に使用されている色成分の度合いの比により色強調の実行の有無を含めて決定することを特徴とする。
【００１２】
このような構成とすれば、上記請求項１記載の発明の作用に加えて、ある程度他の色成分よりも突出して多い色成分に関してのみ色強調を行なうため、過度に色強調を行なうことで不自然な画像となってしまうのを防止できる。
【００１３】
請求項３記載の発明は、上記請求項１記載の発明において、上記決定手段は、画像データを複数のエリアに分割し、分割した個々のエリア毎に強調する色成分を自動決定し、上記色強調手段は、上記決定手段がエリア毎に決定した色成分に基づいてそのエリア内の各画素に色強調処理を施すことを特徴とする。
【００１４】
このような構成とすれば、上記請求項１記載の発明の作用に加えて、画像を分割して複数のエリア毎に、使用されている色に対応して色強調を行なうため、例えば「エメラルドグリーンの海と青空と白い砂浜の風景」の画像のように強調したい色が複数ある場合でもそれに対応してより色鮮やかな画像を得ることができる。
【００１５】
請求項４記載の発明は、上記請求項１記載の発明において、上記決定手段は、画像データ中を複数のエリアに分割し、分割した複数のエリア中の特定のエリアにより強調する色成分を自動決定することを特徴とする。
【００１６】
このような構成とすれば、上記請求項１記載の発明の作用に加えて、特定のエリアを優先して強調する色を決定するため、一般的に多く用いられる構図に対応して被写体の色をより強調して色鮮やかな画像とすることができる。
【００１７】
請求項５記載の発明は、上記請求項４記載の発明において、上記特定のエリアは画像データの中央に位置することを特徴とする。
【００１８】
このような構成とすれば、上記請求項４記載の発明の作用に加えて、例えば人物のポートレイトなど、特に被写体が中央に位置する一般的な構図の画像で人物像の肌の色など被写体の色をより強調した画像とすることができる。
【００１９】
請求項６記載の発明は、上記請求項１記載の発明において、撮影準備状態にある上記撮影手段で得られる画像を表示する表示手段をさらに具備し、上記決定手段は、撮影準備状態にある上記撮影手段で得られる画像から強調する色成分を自動決定し、上記色強調手段は、上記決定手段で決定した色成分に基づいて撮影準備状態にある上記撮影手段で得られた画像に色強調処理を施し、上記表示手段で表示させることを特徴とする。
【００２０】
このような構成とすれば、上記請求項１記載の発明の作用に加えて、撮影を実行する前に色強調された画像を視認した上で撮影に移行することができるため、撮影の失敗を回避して確実に意図通りの画像を撮影することができる。
【００２１】
請求項７記載の発明は、与えられる画像データに基づいて強調する色成分を自動決定する決定工程と、この決定工程で決定した色成分に基づいて上記与えられる画像データを構成する各画素に色強調処理を施す色強調工程と、この色強調工程で色強調処理を施した画像データを記録する記録工程とを有したことを特徴とする。
【００２２】
このような方法とすれば、ユーザに必要とされる操作等の手間を極力簡易化しながら、被写体の有する色に対応してより色鮮やかなカラー画像を得ることが可能となる。
【００２３】
請求項８記載の発明は、与えられる画像データに基づいて強調する色成分を自動決定する決定ステップと、この決定ステップで決定した色成分に基づいて上記与えられる画像データを構成する各画素に色強調処理を施す色強調ステップと、この色強調ステップで色強調処理を施した画像データを記録する記録ステップとをコンピュータに実行させることを特徴とする。
【００２４】
このようなプログラム内容とすれば、ユーザに必要とされる操作等の手間を極力簡易化しながら、被写体の有する色に対応してより色鮮やかなカラー画像を得ることが可能となる。
【００２５】
【発明の実施の形態】
（第１の実施形態）
以下本発明をデジタルスチルカメラに適用した場合の第１の実施形態について図面を参照して説明する。
【００２６】
図１はその外観構成を示すもので、図１（Ａ）が主に前面の、図１（Ｂ）が主に背面の構成を示す斜視図である。
【００２７】
このデジタルカメラ１は、略矩形の薄板状ボディの前面に、撮影レンズ２、セルフタイマランプ３、光学ファインダ窓４、及びストロボ発光部５を配設し、上面には電源キー６及びシャッタキー７を配する。
【００２８】
撮影レンズ２は、薄型のボディに搭載するために例えば単焦点レンズで且つ固定焦点であるものとし、ズーム動作や合焦動作は行なわないものとする。
【００２９】
電源キー６は、１回押圧操作する毎に電源をオン／オフするキーであり、シャッタキー７は、撮影モード時にレリーズを指示する一方で、メニュー選択等では設定／実行を指示するキーとしても機能するものとする。
【００３０】
また、デジタルカメラ１の背面には、モードスイッチ（ＳＷ）８、メニューキー９、十字キー１０、光学ファインダ１１、ストロボチャージランプ１２、及び表示部１３を配する。
【００３１】
モードスイッチ８は、例えばスライドスイッチにより構成され、撮影モード「Ｒ」と再生モード「Ｐ」とを切換える。
【００３２】
メニューキー９は、各種メニュー選択時に操作する。
【００３３】
表示部１３は、バックライト付きのカラー液晶パネルで構成されるもので、撮影モード時には電子ファインダとしてモニタ表示を行なう一方で、再生モード時には選択した画像を再生表示する。
【００３４】
なお、図示はしないがこのボディ下面には蓋付きのメモリカードスロットが設けられ、このデジタルカメラ１の記録媒体であるメモリカードが着脱自在に装着されるものとする。
【００３５】
次いで図２により上記デジタルカメラ１の電子回路構成を説明する。
撮影モードでのモニタリング状態においては、モータ（Ｍ）２１の駆動により絞り位置が移動される、上記撮影レンズ２を含むレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３６】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ
Ｍｅｍｏｒｙ  Ａｃｃｅｓｓ）コントローラ２９に出力される。
【００３７】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００３８】
制御部３２は、ＣＰＵと、後述する色強調処理を含むＣＰＵで実行される動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００３９】
デジタルビデオエンコーダ３５は、上記輝度及び色差信号をＶＲＡＭコントローラ３３を介してＶＲＡＭ３４より定期的に読出し、これらのデータを元にビデオ信号を発生して上記表示部１３に出力する。
【００４０】
この表示部１３は、上述した如く撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００４１】
このように表示部１３にその時点での画像がモニタ画像としてリアルタイムに表示されている状態で、静止画撮影を行ないたいタイミングでキー入力部３６を構成する上記シャッタキー７を操作すると、トリガ信号を発生する。
【００４２】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４３】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４４】
そして、得た符号データを１画像のデータファイルとして該ＪＰＥＧ回路３７から読出し、このデジタルカメラ１の記録媒体として着脱自在に装着されるメモリカード内に封入された、不揮発性メモリであるフラッシュメモリ３８に書込む。さらにフラッシュメモリ３８は上記メモリカードとは別にデジタルカメラ１に内蔵されていてもよい。
【００４５】
そして、１フレーム分の輝度及び色差信号の圧縮処理及びフラッシュメモリ３８への全圧縮データの書込み終了に伴なって、制御部３２はＣＣＤ２３からＤＲＡＭ３１への経路を再び起動する。
【００４６】
上記キー入力部３６は、上述した電源キー６、シャッタキー７、モードスイッチ８、メニューキー９、及び十字キー１０から構成され、それらのキー操作に伴なう信号は直接制御部３２へ送出される。
【００４７】
再生モード時には、制御部３２がフラッシュメモリ３８に記録されている画像データを選択的に読出し、ＪＰＥＧ回路３７で画像撮影モード時にデータ圧縮した手順と全く逆の手順で圧縮されている画像データを伸長し、伸長した画像データをＶＲＡＭコントローラ３３を介してＶＲＡＭ３４に展開して記憶させた上で、このＶＲＡＭ３４より定期的に読出し、これらの画像データを元にビデオ信号を発生して上記表示部１３で再生出力させる。
【００４８】
次に上記実施の形態の動作について説明する。
なお、ここではキー入力部３６のシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００４９】
図３は、基本モードとして撮影モードが選択され、且つメニュー項目からの選択により色強調モードが設定されている状態で、主として制御部３２が実行する動作プログラムに基づいた処理内容を示すものである。
【００５０】
その処理当初には、ＣＣＤ２３で撮像されている画像をそのままバッファメモリであるＤＲＡＭ３１に逐次保持し、表示部１３でモニタ表示するスルー画像表示状態としながら（ステップＡ０１）、キー入力部３６のシャッタキー７が半押し操作されたか否かを判断する（ステップＡ０２）、という処理を繰返し実行して、スルー画像表示状態から該シャッタキー７の半押し操作がなされるのを待機する。
【００５１】
そして、シャッタキー７が半押し操作された時点でステップＡ０２によりこれを判断し、ＡＥ処理を実行して露光値をロックした後に（ステップＡ０３）、さらにキー入力部３６のシャッタキー７が全押し操作されたか否かを判断し（ステップＡ０４）、全押し操作されていなければ、まだシャッタキー７の半押し操作状態が維持されていることを確認する（ステップＡ０５）、という処理を繰返し実行することにより、シャッタキー７が全押し操作されるのを待機する。
【００５２】
しかして、シャッタキー７の半押し操作状態が解除された場合には、ステップＡ０５でこれを判断して、再び上記ステップＡ０１からの処理に戻る。
【００５３】
また、シャッタキー７が全押し操作された場合には上記ステップＡ０４でこれを判断し、撮影を実行する（ステップＡ０６）。
【００５４】
この撮影により得た画像データを一旦ＤＲＡＭ３１に保持記憶させた上で、そのうちの輝度信号及び色差信号からなる１画素分を選択して読出し（ステップＡ０７）、マトリックス演算によりＲＧＢの原色系のデータに変換してそのうちで最も階調値が高い原色成分ＲＧＢのいずれかを選択し、選択した原色成分をカウントするものとしてそのカウント値を「＋１」更新設定する（ステップＡ０８）。
【００５５】
その後、画像データを構成するすべての画素に関して同様のカウント処理が終了したか否かを判断し（ステップＡ０９）、終了していなければ再び上記ステップＡ０７からの処理に戻る。
【００５６】
こうしてステップＡ０７〜Ａ０９の処理を繰返し実行することにより、画像データを構成するすべての画素に関して最も階調値が高い原色成分を選択してカウントアップしていく。
【００５７】
そして、１フレーム分の画像データを構成するすべての画素についての処理を終えたと判断した時点で、最もカウント値の高い原色成分が、その次にカウント値の高い原色成分に比して所定の割合、例えば２倍以上となっているか否かを閾値として判断することで、強調すべき色成分を決定する（ステップＡ１０）。
【００５８】
これは、例えば画像が「夕日」を撮影したものであり、最も多い原色成分Ｒのカウント値が次に多い原色成分Ｂのカウント値の２倍以上となっていた場合に、その画像が色調の点では色成分Ｒを主体としたものであり、これを強調すべきと判断するものである。
【００５９】
しかして、上記ステップＡ１０での決定により強調すべき色成分があったか否かを判断し（ステップＡ１１）、あったと判断した場合にのみ、実際の色強調を行なうべくステップＡ１２〜Ａ１４の処理を実行する。
【００６０】
すなわち、まずＤＲＡＭ３１に保持記憶させた画像データから輝度信号及び色差信号からなる１画素分を選択して読出し（ステップＡ１２）、ＲＧＢのうち強調すべきと判断した色成分を所定の割合、例えば３割増加するべくマトリックス演算により輝度信号及び色差信号の値を新たに算出して、これをＤＲＡＭ３１に更新記憶させることで、色強調を施した値に書き換える（ステップＡ１３）。
【００６１】
その後、画像データを構成するすべての画素に関して同様の色強調処理が終了したか否かを判断し（ステップＡ１４）、終了していなければ再び上記ステップＡ１２からの処理に戻る。
【００６２】
こうしてステップＡ１２〜Ａ１４の処理を繰返し実行することにより、画像データを構成するすべての画素に関して色強調処理を施していく。そして、１フレーム分の画像データを構成するすべての画素について色強調処理を終えたとステップＡ１４で判断した時点で、ステップＡ１５に至る。
【００６３】
このステップＡ１５は、上記ステップＡ１１で強調すべき色成分がなかったと判断した場合には直接実行するものであり、ＤＲＡＭ３１に書込まれている１フレーム分の輝度及び色差信号を読出してＪＰＥＧ回路３７によりデータ圧縮させ（ステップＡ１５）、得た符号データを１フレーム分の画像のデータファイルとして該ＪＰＥＧ回路３７から読出し、フラッシュメモリ３８に書込んで記録させ（ステップＡ１６）、以上で撮影に関する一連の処理を終了して、再び次の撮影のために上記ステップＡ０１からの処理に戻る。
【００６４】
このように、実際にその画像で使用されている色成分を強調すべきものと判断して色強調処理を施すものとしたため、デジタルカメラ１のユーザが必要とされる操作等の手間を極力簡易化しながら、被写体の有する色成分に対応してより色鮮やかなカラー画像を得ることが可能となる。
【００６５】
なお、上記実施形態では、強調すべき色成分の有無を判断する閾値として、最も多かった色成分のカウント値が次に多かった色成分のカウント値に比して所定の割合、例えば２倍以上となっているか否かを判断するものとしたが、この「２倍」という数値自体は任意に可変設定できるものとしてもよい。
【００６６】
このように、ある程度他の色成分よりも突出して多い色成分に関してのみ色強調を行なうことにより、たった１画素分でも他の色成分よりカウント値が多い色成分に関して色強調を施してしまうようなことがなく、過度に色強調を行なうことで不自然な画像となってしまうのを防止できる。
【００６７】
（第２の実施形態）
以下本発明をデジタルスチルカメラに適用した場合の第２の実施形態について図面を参照して説明する。
【００６８】
なお、その外観構成については上記図１と、回路構成については上記図２とそれぞれ基本的に同様であるものとし、以下の文中では同一部分に同一符号を使用するものとして、その図示及び説明を省略する。
【００６９】
次に上記実施の形態の動作について説明する。
ここではキー入力部３６のシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００７０】
また、本実施形態では、図４に示すように撮影により得た１フレーム分の画像データを縦３×横３に均等分割し、左上段のエリア１から右下段のエリア９まで計９のエリア毎にそれぞれ強調すべき色成分を決定するものとする。
【００７１】
図５は、基本モードとして撮影モードが選択され、且つメニュー項目からの選択により色強調モードが設定されている状態で、主として制御部３２が実行する動作プログラムに基づいた処理内容を示すものである。
【００７２】
その処理当初には、ＣＣＤ２３で撮像されている画像をそのままバッファメモリであるＤＲＡＭ３１に逐次保持し、表示部１３でモニタ表示するスルー画像表示状態としながら（ステップＢ０１）、キー入力部３６のシャッタキー７が半押し操作されたか否かを判断する（ステップＢ０２）、という処理を繰返し実行して、スルー画像表示状態から該シャッタキー７の半押し操作がなされるのを待機する。
【００７３】
そして、シャッタキー７が半押し操作された時点でステップＢ０２によりこれを判断し、ＡＥ処理を実行して露光値をロックした後に（ステップＢ０３）、さらにキー入力部３６のシャッタキー７が全押し操作されたか否かを判断し（ステップＢ０４）、全押し操作されていなければ、まだシャッタキー７の半押し操作状態が維持されていることを確認する（ステップＢ０５）、という処理を繰返し実行することにより、シャッタキー７が全押し操作されるのを待機する。
【００７４】
しかして、シャッタキー７の半押し操作状態が解除された場合には、ステップＢ０５でこれを判断して、再び上記ステップＢ０１からの処理に戻る。
【００７５】
また、シャッタキー７が全押し操作された場合には上記ステップＢ０４でこれを判断し、撮影を実行する（ステップＢ０６）。
【００７６】
この撮影により得た画像データを一旦ＤＲＡＭ３１に保持記憶させた上で、そのうちの輝度信号及び色差信号からなる１画素分を選択して読出し（ステップＢ０７）、マトリックス演算によりＲＧＢの原色系のデータに変換してそのうちで最も階調値が高い原色成分ＲＧＢのいずれかを選択し、選択した原色成分をエリア別でカウントするものとしてそのカウント値を「＋１」更新設定する（ステップＢ０８）。
【００７７】
その後、画像データを構成するすべての画素に関して同様のカウント処理が終了したか否かを判断し（ステップＢ０９）、終了していなければ再び上記ステップＢ０７からの処理に戻る。
【００７８】
こうしてステップＢ０７〜Ｂ０９の処理を繰返し実行することにより、画像データを構成するすべての画素に関して最も階調値が高い原色成分をエリア別に選択してカウントアップしていく。
【００７９】
そして、１フレーム分の画像データを構成するすべての画素についての処理を終えたと判断した時点で、各エリア毎に、最もカウント値の高い原色成分が、その次にカウント値の高い原色成分に比して所定の割合、例えば２倍以上となっているか否かを閾値として判断することで、強調すべき色成分をエリア別に決定する（ステップＢ１０）。
【００８０】
これは、例えばそのエリアに写っている画像が「青空」であり、最も多い原色成分Ｂのカウント値が次に多い原色成分Ｇのカウント値の２倍以上となっていた場合に、そのエリアの画像が色調の点では色成分Ｂを主体としたものであり、これを強調すべきと判断するものである。
【００８１】
しかして、上記ステップＢ１０での決定により色強調を施す必要のあるエリアが少なくとも１つあったか否かを判断し（ステップＢ１１）、あったと判断した場合にのみ、実際の色強調を行なうべくステップＢ１２〜Ｂ１６の処理を実行する。
【００８２】
すなわち、まず色強調を施す必要があると判断したエリア１つを選択した上で（ステップＢ１２）、ＤＲＡＭ３１に保持記憶させたそのエリア内の画像データから輝度信号及び色差信号からなる１画素分を選択して読出し（ステップＢ１３）、ＲＧＢのうち強調すべきと判断した色成分を所定の割合、例えば３割増加するべくマトリックス演算により輝度信号及び色差信号の値を新たに算出して、これをＤＲＡＭ３１に更新記憶させることで、色強調を施した値に書き換える（ステップＢ１４）。
【００８３】
その後、そのエリア内の画像データを構成するすべての画素に関して同様の色強調処理が終了したか否かを判断し（ステップＢ１５）、終了していなければ再び上記ステップＢ１３からの処理に戻る。
【００８４】
こうしてステップＢ１３〜Ｂ１５の処理を繰返し実行することにより、そのエリア内の画像データを構成するすべての画素に関して色強調処理を施していく。そして、そのエリア内の画像データを構成するすべての画素について色強調処理を終えたとステップＢ１５で判断すると、次いで色強調を施す必要があると判断したすべてのエリアについての処理が終了したか否かを判断する（ステップＢ１６）。
【００８５】
ここで、まだ他にも色強調を施す必要のあるエリアが存在すると判断すると、上記ステップＢ１２に戻ってそのエリアを選択し、再びステップＢ１３以下の処理を繰返し実行する。
【００８６】
こうして色強調を行なう必要があると決定したすべてのエリア毎に、決定した色成分に基づく色強調処理を実行する。そして、色強調を行なう必要があると決定したすべてのエリアの処理を終了した時点でステップＢ１６でこれを判断し、ステップＢ１７に至る。
【００８７】
このステップＢ１７は、上記ステップＢ１１で色強調を施す必要のあるエリアが１つもなかったと判断した場合には直接実行するものであり、ＤＲＡＭ３１に書込まれている１フレーム分の輝度及び色差信号を読出してＪＰＥＧ回路３７によりデータ圧縮させ（ステップＢ１７）、得た符号データを１フレーム分の画像のデータファイルとして該ＪＰＥＧ回路３７から読出し、フラッシュメモリ３８に書込んで記録させ（ステップＢ１８）、以上で撮影に関する一連の処理を終了して、再び次の撮影のために上記ステップＢ０１からの処理に戻る。
【００８８】
このように、１フレーム分の画像を均等に分割した複数のエリア毎に、使用されている色に対応して色強調を行なう。そのため、例えば図４のエリア７〜エリア９で「エメラルドグリーンの海」を、同エリア１〜エリア６で「青空」を表すような構図の画像があった場合には、エリア７〜エリア９の画像に対して色成分Ｇの階調値を大きく設定し、一方同エリア１〜エリア６の画像に対して色成分Ｂの階調値を大きく設定することで、「エメラルドグリーンの海」と「青空」とをそれぞれ色強調することができ、より色鮮やかな画像を得ることができる。
【００８９】
なお、上記図４では、１フレームの画像データを縦３×横３の計９つのエリアに均等分割するものとして説明したが、分割数はこれに限るものではなく、他にも例えば縦２×横２の計４つのエリアに均等分割する場合、縦２×横３の計６つのエリアに均等分割する場合、縦４×横４の計１６のエリアに均等分割する場合等、種々分割パターンを考えることができる。
【００９０】
（第３の実施形態）
以下本発明をデジタルスチルカメラに適用した場合の第３の実施形態について図面を参照して説明する。
【００９１】
なお、その外観構成については上記図１と、回路構成については上記図２とそれぞれ基本的に同様であるものとし、以下の文中では同一部分に同一符号を使用するものとして、その図示及び説明を省略する。
【００９２】
次に上記実施の形態の動作について説明する。
ここではキー入力部３６のシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【００９３】
図６は、基本モードとして撮影モードが選択され、且つメニュー項目からの選択により色強調モードが設定されている状態で、主として制御部３２が実行する動作プログラムに基づいた処理内容を示すものである。
【００９４】
その処理当初には、ＣＣＤ２３で撮像されている画像をそのままバッファメモリであるＤＲＡＭ３１に逐次保持し、表示部１３でモニタ表示するスルー画像表示状態としながら（ステップＣ０１）、キー入力部３６のシャッタキー７が半押し操作されたか否かを判断する（ステップＣ０２）、という処理を繰返し実行して、スルー画像表示状態から該シャッタキー７の半押し操作がなされるのを待機する。
【００９５】
そして、シャッタキー７が半押し操作された時点でステップＣ０２によりこれを判断し、ＡＥ処理を実行して露光値をロックした後に（ステップＣ０３）、さらにキー入力部３６のシャッタキー７が全押し操作されたか否かを判断し（ステップＣ０４）、全押し操作されていなければ、まだシャッタキー７の半押し操作状態が維持されていることを確認する（ステップＣ０５）、という処理を繰返し実行することにより、シャッタキー７が全押し操作されるのを待機する。
【００９６】
しかして、シャッタキー７の半押し操作状態が解除された場合には、ステップＣ０５でこれを判断して、再び上記ステップＣ０１からの処理に戻る。
【００９７】
また、シャッタキー７が全押し操作された場合には上記ステップＣ０４でこれを判断し、撮影を実行する（ステップＣ０６）。
【００９８】
この撮影により得た画像データを一旦ＤＲＡＭ３１に保持記憶させた上で、そのうちの輝度信号及び色差信号からなる１画素分を選択して読出し（ステップＣ０７）、マトリックス演算により例えば加色法の３原色Ｒ，Ｇ，Ｂ、減色法の３原色Ｙ（イエロー），Ｍｇ（マゼンタ），Ｃｙ（シアン）、及びＷ（ホワイト：白）の各データに変換してそのうちで最も階調値が高いものを選択し、選択した色成分をカウントするものとしてそのカウント値を「＋１」更新設定する（ステップＣ０８）。
【００９９】
その後、画像データを構成するすべての画素に関して同様のカウント処理が終了したか否かを判断し（ステップＣ０９）、終了していなければ再び上記ステップＣ０７からの処理に戻る。
【０１００】
こうしてステップＣ０７〜Ｃ０９の処理を繰返し実行することにより、画像データを構成するすべての画素に関して最も階調値が高い色成分を選択してカウントアップしていく。
【０１０１】
そして、１フレーム分の画像データを構成するすべての画素についての処理を終えたと判断した時点で、最もカウント値の高い色成分が、その次にカウント値の高い色成分に比して所定の割合、例えば２倍以上となっているか否かを閾値として判断することで、強調すべき色成分を決定する（ステップＣ１０）。
【０１０２】
しかして、上記ステップＣ１０での決定により強調すべき色成分があったか否かを判断し（ステップＣ１１）、あったと判断した場合にのみ、実際の色強調を行なうべくステップＣ１２〜Ｃ１４の処理を実行する。
【０１０３】
すなわち、まずＤＲＡＭ３１に保持記憶させた画像データから輝度信号及び色差信号からなる１画素分を選択して読出し（ステップＣ１２）、上述した７つの色成分Ｒ，Ｇ，Ｂ，Ｙ，Ｍｇ，Ｃｙ，Ｗのうち強調すべきと判断した色成分を所定の割合、例えば３割増加するべくマトリックス演算により輝度信号及び色差信号の値を新たに算出して、これをＤＲＡＭ３１に更新記憶させることで、色強調を施した値に書き換える（ステップＣ１３）。
【０１０４】
その後、画像データを構成するすべての画素に関して同様の色強調処理が終了したか否かを判断し（ステップＣ１４）、終了していなければ再び上記ステップＣ１２からの処理に戻る。
【０１０５】
こうしてステップＣ１２〜Ｃ１４の処理を繰返し実行することにより、画像データを構成するすべての画素に関して色強調処理を施していく。そして、１フレーム分の画像データを構成するすべての画素について色強調処理を終えたとステップＣ１４で判断した時点で、ステップＣ１５に至る。
【０１０６】
このステップＣ１５は、上記ステップＣ１１で強調すべき色成分がなかったと判断した場合には直接実行するものであり、ＤＲＡＭ３１に書込まれている１フレーム分の輝度及び色差信号を読出してＪＰＥＧ回路３７によりデータ圧縮させ（ステップＣ１５）、得た符号データを１フレーム分の画像のデータファイルとして該ＪＰＥＧ回路３７から読出し、フラッシュメモリ３８に書込んで記録させ（ステップＣ１６）、以上で撮影に関する一連の処理を終了して、再び次の撮影のために上記ステップＣ０１からの処理に戻る。
【０１０７】
このように、上記第１の実施形態に示した如く加色法の３原色ＲＧＢだけでなく減色法の３原色Ｙ，Ｍｇ，Ｃｙ、及び原色ではない混色Ｗ（白）を用いて色強調を施すものとしたので、画像中で多用されている色により近い色を選択してそれを強調することができ、ユーザの色強調設定の意図をより画像に忠実に反映できる。
【０１０８】
なお、色強調を施す色としては上述した７色に限らず、肌色（人物の肌）、オレンジ（紅葉など）など被写体や光源に対応した混色を用いるものとしてもよい。
【０１０９】
（第４の実施形態）
以下本発明をデジタルスチルカメラに適用した場合の第４の実施形態について図面を参照して説明する。
【０１１０】
なお、その外観構成については上記図１と、回路構成については上記図２とそれぞれ基本的に同様であるものとし、以下の文中では同一部分に同一符号を使用するものとして、その図示及び説明を省略する。
【０１１１】
次に上記実施の形態の動作について説明する。
ここではキー入力部３６のシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【０１１２】
また、本実施形態では、図７に示すように撮影により得た１フレーム分の画像データに対し、その中央エリアＡのみにより強調すべき色成分を決定するものとする。
【０１１３】
図８は、基本モードとして撮影モードが選択され、且つメニュー項目からの選択により色強調モードが設定されている状態で、主として制御部３２が実行する動作プログラムに基づいた処理内容を示すものである。
【０１１４】
その処理当初には、ＣＣＤ２３で撮像されている画像をそのままバッファメモリであるＤＲＡＭ３１に逐次保持し、表示部１３でモニタ表示するスルー画像表示状態としながら（ステップＤ０１）、キー入力部３６のシャッタキー７が半押し操作されたか否かを判断する（ステップＤ０２）、という処理を繰返し実行して、スルー画像表示状態から該シャッタキー７の半押し操作がなされるのを待機する。
【０１１５】
そして、シャッタキー７が半押し操作された時点でステップＤ０２によりこれを判断し、ＡＥ処理を実行して露光値をロックした後に（ステップＤ０３）、さらにキー入力部３６のシャッタキー７が全押し操作されたか否かを判断し（ステップＤ０４）、全押し操作されていなければ、まだシャッタキー７の半押し操作状態が維持されていることを確認する（ステップＤ０５）、という処理を繰返し実行することにより、シャッタキー７が全押し操作されるのを待機する。
【０１１６】
しかして、シャッタキー７の半押し操作状態が解除された場合には、ステップＤ０５でこれを判断して、再び上記ステップＤ０１からの処理に戻る。
【０１１７】
また、シャッタキー７が全押し操作された場合には上記ステップＤ０４でこれを判断し、撮影を実行する（ステップＤ０６）。
【０１１８】
この撮影により得た画像データを一旦ＤＲＡＭ３１に保持記憶させた上で、その画像データ中、上記中央エリアＡ内に位置する輝度信号及び色差信号からなる１画素分を選択して読出し（ステップＤ０７）、マトリックス演算によりＲＧＢの原色系のデータに変換してそのうちで最も階調値が高い原色成分ＲＧＢのいずれかを選択し、選択した原色成分をエリア別でカウントするものとしてそのカウント値を「＋１」更新設定する（ステップＤ０８）。
【０１１９】
その後、中央エリアＡ内の画像データを構成するすべての画素に関して同様のカウント処理が終了したか否かを判断し（ステップＤ０９）、終了していなければ再び上記ステップＤ０７からの処理に戻る。
【０１２０】
こうしてステップＤ０７〜Ｄ０９の処理を繰返し実行することにより、中央エリアＡ内の画像データを構成するすべての画素に関して最も階調値が高い原色成分をエリア別に選択してカウントアップしていく。
【０１２１】
そして、中央エリアＡ内の画像データを構成するすべての画素についての処理を終えたと判断した時点で、中央エリアＡ内の全画素に対応する、最もカウント値の高い原色成分が、その次にカウント値の高い原色成分に比して所定の割合、例えば２倍以上となっているか否かを閾値として判断することで、強調すべき色成分を決定する（ステップＤ１０）。
【０１２２】
これは、例えばそのエリアに写っている画像で、最も多い原色成分のカウント値が次に多い原色成分のカウント値の２倍以上となっていた場合に、そのエリアの画像が色調の点ではその最も多い原色成分を主体としたものであり、これを強調すべきと判断するものである。
【０１２３】
しかして、上記ステップＤ１０での決定により強調すべき色成分があったか否かを判断し（ステップＤ１１）、あったと判断した場合にのみ、実際の色強調を行なうべくステップＤ１２〜Ｄ１４の処理を実行する。
【０１２４】
すなわち、まずＤＲＡＭ３１に保持記憶させた画像データから輝度信号及び色差信号からなる１画素分を選択して読出し（ステップＤ１２）、ＲＧＢのうち強調すべきと判断した色成分を所定の割合、例えば３割増加するべくマトリックス演算により輝度信号及び色差信号の値を新たに算出して、これをＤＲＡＭ３１に更新記憶させることで、色強調を施した値に書き換える（ステップＤ１３）。
【０１２５】
その後、その画像データを構成するすべての画素に関して同様の色強調処理が終了したか否かを判断し（ステップＤ１４）、終了していなければ再び上記ステップＤ１２からの処理に戻る。
【０１２６】
こうしてステップＤ１２〜Ｄ１４の処理を繰返し実行することにより、その画像データを構成するすべての画素に関して色強調処理を施していく。そして、その画像データを構成するすべての画素について色強調処理を終えたとステップＤ１４で判断すると、ステップＤ１５に至る。
【０１２７】
このステップＤ１５は、上記ステップＤ１１で色強調を施す必要がなかったと判断した場合には直接実行するものであり、ＤＲＡＭ３１に書込まれている１フレーム分の輝度及び色差信号を読出してＪＰＥＧ回路３７によりデータ圧縮させ（ステップＤ１５）、得た符号データを１フレーム分の画像のデータファイルとして該ＪＰＥＧ回路３７から読出し、フラッシュメモリ３８に書込んで記録させ（ステップＤ１６）、以上で撮影に関する一連の処理を終了して、再び次の撮影のために上記ステップＤ０１からの処理に戻る。
【０１２８】
このように、１フレーム分の画像中の特に中央エリアＡ内で使用されている色に対応して画像全体の色強調を行なう。そのため、中央に位置する被写体が有している色調を活かした画像が得られることになる。
【０１２９】
なお、上記図７では１フレームの画像データに対して中央エリアＡを設定し、それに基づいて上記図８に示す処理を実行するものとして説明したが、このエリアＡの大きさ及び位置は固定的に設定するものではなく、ユーザの任意操作により、例えば左半分、右半分、上半分、下半分、左下段など、予め複数のエリアパターンを用意していずれかを選択するものとしてもよいし、エリアの大きさを選択した上で上記十字キー１０の操作により表示部１３の画面上で位置を設定するものとすることも考えられる。
【０１３０】
（第５の実施形態）
以下本発明をデジタルスチルカメラに適用した場合の第４の実施形態について図面を参照して説明する。
【０１３１】
なお、その外観構成については上記図１と、回路構成については上記図２とそれぞれ基本的に同様であるものとし、以下の文中では同一部分に同一符号を使用するものとして、その図示及び説明を省略する。
【０１３２】
次に上記実施の形態の動作について説明する。
ここではキー入力部３６のシャッタキー７が２段階のストロークで動作し、一般的に「半押し」と表現されている第１段階の操作状態でＡＥ（自動露光）処理を始めとする撮影の準備を行ない、一般的に「全押し」と表現されている、より強く押圧操作した第２段階の操作状態で撮影を実行するものとする。
【０１３３】
また、本実施形態では、図９に示すように撮影により得た１フレーム分の画像データに対し、その中央エリアＡとそれ以外の周辺エリアＳとに分割してそれぞれエリア毎に強調すべき色成分を決定するものとする。
【０１３４】
図１０は、基本モードとして撮影モードが選択され、且つメニュー項目からの選択により色強調モードが設定されている状態で、主として制御部３２が実行する動作プログラムに基づいた処理内容を示すものである。
【０１３５】
その処理当初には、ＣＣＤ２３で撮像されている画像をそのままバッファメモリであるＤＲＡＭ３１に逐次保持し、表示部１３でモニタ表示するスルー画像表示状態としながら（ステップＥ０１）、キー入力部３６のシャッタキー７が半押し操作されたか否かを判断する（ステップＥ０２）、という処理を繰返し実行して、スルー画像表示状態から該シャッタキー７の半押し操作がなされるのを待機する。
【０１３６】
そして、シャッタキー７が半押し操作された時点でステップＥ０２によりこれを判断し、ＡＥ処理を実行して露光値をロックした後に（ステップＥ０３）、さらにキー入力部３６のシャッタキー７が全押し操作されたか否かを判断し（ステップＥ０４）、全押し操作されていなければ、まだシャッタキー７の半押し操作状態が維持されていることを確認する（ステップＥ０５）、という処理を繰返し実行することにより、シャッタキー７が全押し操作されるのを待機する。
【０１３７】
しかして、シャッタキー７の半押し操作状態が解除された場合には、ステップＥ０５でこれを判断して、再び上記ステップＥ０１からの処理に戻る。
【０１３８】
また、シャッタキー７が全押し操作された場合には上記ステップＥ０４でこれを判断し、撮影を実行する（ステップＥ０６）。
【０１３９】
この撮影により得た画像データを一旦ＤＲＡＭ３１に保持記憶させた上で、そのうちの輝度信号及び色差信号からなる１画素分を選択して読出し（ステップＥ０７）、マトリックス演算によりＲＧＢの原色系のデータに変換してそのうちで最も階調値が高い原色成分ＲＧＢのいずれかを選択し、選択した原色成分を中央エリアＡと周辺エリアＳのエリア別でカウントするものとしてそのカウント値を「＋１」更新設定する（ステップＥ０８）。
【０１４０】
その後、画像データを構成するすべての画素に関して同様のカウント処理が終了したか否かを判断し（ステップＥ０９）、終了していなければ再び上記ステップＥ０７からの処理に戻る。
【０１４１】
こうしてステップＥ０７〜Ｅ０９の処理を繰返し実行することにより、画像データを構成するすべての画素に関して最も階調値が高い原色成分を中央エリアＡと周辺エリアＳのエリア別に選択してカウントアップしていく。
【０１４２】
そして、１フレーム分の画像データを構成するすべての画素についての処理を終えたと判断した時点で、各エリア毎に、最もカウント値の高い原色成分が、その次にカウント値の高い原色成分に比して所定の割合、例えば２倍以上となっているか否かを閾値として判断することで、強調すべき色成分をエリア別に決定する（ステップＥ１０）。
【０１４３】
これは、例えばそのエリアに写っている画像が「青空」であり、最も多い原色成分Ｂのカウント値が次に多い原色成分Ｇのカウント値の２倍以上となっていた場合に、そのエリアの画像が色調の点では色成分Ｂを主体としたものであり、これを強調すべきと判断するものである。
【０１４４】
しかして、上記ステップＥ１０での決定により色強調を施す必要のあるエリアが少なくとも１つあったか否かを判断し（ステップＥ１１）、あったと判断した場合にのみ、実際の色強調を行なうべくステップＥ１２〜Ｅ１６の処理を実行する。
【０１４５】
すなわち、まず色強調を施す必要があると判断した中央エリアＡまたは周辺エリアＳを選択した上で（ステップＥ１２）、ＤＲＡＭ３１に保持記憶させたそのエリア内の画像データから輝度信号及び色差信号からなる１画素分を選択して読出し（ステップＥ１３）、ＲＧＢのうち強調すべきと判断した色成分を所定の割合、例えば３割増加するべくマトリックス演算により輝度信号及び色差信号の値を新たに算出して、これをＤＲＡＭ３１に更新記憶させることで、色強調を施した値に書き換える（ステップＥ１４）。
【０１４６】
その後、そのエリア内の画像データを構成するすべての画素に関して同様の色強調処理が終了したか否かを判断し（ステップＥ１５）、終了していなければ再び上記ステップＥ１３からの処理に戻る。
【０１４７】
こうしてステップＥ１３〜Ｅ１５の処理を繰返し実行することにより、そのエリア内の画像データを構成するすべての画素に関して色強調処理を施していく。そして、そのエリア内の画像データを構成するすべての画素について色強調処理を終えたとステップＥ１５で判断すると、次いで色強調を施す必要があると判断したすべてのエリアについての処理が終了したか否かを判断する（ステップＥ１２）。
【０１４８】
ここで、まだ色強調を施す必要のあるエリアが存在すると判断すると、上記ステップＥ１２に戻ってそのエリアを選択し、再びステップＥ１３以下の処理を繰返し実行する。
【０１４９】
こうして色強調を行なう必要があると決定した中央エリアＡ及び周辺エリアＳの少なくとも一方のエリア毎に、決定した色成分に基づく色強調処理を実行する。そして、色強調を行なう必要があると決定したエリアの処理を終了した時点でステップＥ１６でこれを判断し、ステップＥ１７に至る。
【０１５０】
このステップＥ１７は、上記ステップＥ１１で色強調を施す必要のあるエリアが１つもなかったと判断した場合には直接実行するものであり、ＤＲＡＭ３１に書込まれている１フレーム分の輝度及び色差信号を読出してＪＰＥＧ回路３７によりデータ圧縮させ（ステップＥ１７）、得た符号データを１フレーム分の画像のデータファイルとして該ＪＰＥＧ回路３７から読出し、フラッシュメモリ３８に書込んで記録させ（ステップＥ１８）、以上で撮影に関する一連の処理を終了して、再び次の撮影のために上記ステップＥ０１からの処理に戻る。
【０１５１】
このように、１フレーム分の画像を中央エリアＡと周辺エリアＳとに分割してそれらエリア毎に、多く使用されている色に対応して色強調を行なう。そのため、中央に被写体が位置するような構図の画像データでは、中央の被写体と背景とが必要により別々に色強調されることとなり、被写体の見栄えがよくなると共に背景もメリハリのある画像を得ることができる。
【０１５２】
なお、上記図９では１フレームの画像データに対して中央エリアＡとそれ以外の周辺エリアＳとを設定し、それに基づいて上記図１０に示す処理を実行するものとして説明したが、このエリアＡと周辺エリアＳの大きさ及び位置は固定的に設定するものではなく、ユーザの任意操作により予め複数のエリアパターンを用意していずれかを選択するものとしてもよいし、それぞれのバランスに対応したエリアの大きさを選択した上で上記十字キー１０の操作により表示部１３の画面上で一方のエリアの位置を設定するものとすることも考えられる。
【０１５３】
また、上記第１乃至第５の実施形態にあっては、いずれも撮影により得た後の画像データにより色強調を行なうべき色成分を決定するものとしているが、本発明はこれに限るものではなく、シャッタキー７を半押ししたＡＥロック状態で、色強調の実行の有無、及び実行する場合の色成分の内容を同時に決定してロック状態としてもよい。
【０１５４】
この場合、撮影前に表示部１３においても色強調処理を適宜施したスルー画像を表示するものとすれば、ユーザはその内容を表示部１３の表示により視認した上で撮影及び記録に移行することができるため、撮影の失敗を減らし、意図通りの撮影を実行できることになる。なお、最終的には撮影した後、色強調処理を再度行なって記録することになる。
【０１５５】
その他、本発明は上記実施形態に限らず、その要旨を逸脱しない範囲内で種々変形して実施することが可能であるものとする。
【０１５６】
さらに、上記実施形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１５７】
【発明の効果】
請求項１記載の発明によれば、ユーザに必要とされる操作等の手間を極力簡易化しながら、被写体の有する色に対応してより色鮮やかなカラー画像を得ることが可能となる。
【０１５８】
請求項２記載の発明によれば、上記請求項１記載の発明の効果に加えて、ある程度他の色成分よりも突出して多い色成分に関してのみ色強調を行なうため、過度に色強調を行なうことで不自然な画像となってしまうのを防止できる。
【０１５９】
請求項３記載の発明によれば、上記請求項１記載の発明の効果に加えて、画像を分割して複数のエリア毎に、使用されている色に対応して色強調を行なうため、強調したい色が複数ある場合でもそれに対応してより色鮮やかな画像を得ることができる。
【０１６０】
請求項４記載の発明によれば、上記請求項１記載の発明の効果に加えて、特定のエリアを優先して強調する色を決定するため、一般的に多く用いられる構図に対応して被写体の色をより強調して色鮮やかな画像とすることができる。
【０１６１】
請求項５記載の発明によれば、上記請求項４記載の発明の効果に加えて、例えば人物のポートレイトなど、特に被写体が中央に位置する一般的な構図の画像で人物像の肌の色など被写体の色をより強調した画像とすることができる。
【０１６２】
請求項６記載の発明によれば、上記請求項１記載の発明の効果に加えて、撮影を実行する前に色強調された画像を視認した上で撮影に移行することができるため、撮影の失敗を回避して確実に意図通りの画像を撮影することができる。
【０１６３】
請求項７記載の発明によれば、ユーザに必要とされる操作等の手間を極力簡易化しながら、被写体の有する色に対応してより色鮮やかなカラー画像を得ることが可能となる。
【０１６４】
請求項８記載の発明によれば、ユーザに必要とされる操作等の手間を極力簡易化しながら、被写体の有する色に対応してより色鮮やかなカラー画像を得ることが可能となる。
【図面の簡単な説明】
【図１】本発明の第１の実施形態に係るデジタルカメラの外観構成を示す斜視図。
【図２】同実施形態に係る回路構成を示すブロック図。
【図３】同実施形態に係る撮影モード時の処理内容を示すフローチャート。
【図４】本発明の第２の実施形態に係る画像のエリア分割状態を例示する図。
【図５】同実施形態に係る撮影モード時の処理内容を示すフローチャート。
【図６】本発明の第３の実施形態に係る撮影モード時の処理内容を示すフローチャート。
【図７】本発明の第４の実施形態に係る画像のエリア分割状態を例示する図。
【図８】同実施形態に係る撮影モード時の処理内容を示すフローチャート。
【図９】本発明の第５の実施形態に係る画像のエリア分割状態を例示する図。
【図１０】同実施形態に係る撮影モード時の処理内容を示すフローチャート。
【符号の説明】
１…デジタルカメラ
２…撮影レンズ
３…セルフタイマランプ
４…光学ファインダ窓
５…ストロボ発光部
６…電源キー
７…シャッタキー
８…モードスイッチ
９…メニューキー
１０…十字キー
１１…光学ファインダ
１２…ストロボチャージランプ
１３…表示部
２１…モータ（Ｍ）
２２…レンズ光学系
２３…ＣＣＤ
２４…タイミング発生器（ＴＧ）
２５…垂直ドライバ
２６…サンプルホールド回路（Ｓ／Ｈ）
２７…Ａ／Ｄ変換器
２８…カラープロセス回路
２９…ＤＭＡコントローラ
３０…ＤＲＡＭインタフェース（Ｉ／Ｆ）
３１…ＤＲＡＭ
３２…制御部
３３…ＶＲＡＭコントローラ
３４…ＶＲＡＭ
３５…デジタルビデオエンコーダ
３６…キー入力部
３７…ＪＰＥＧ回路
３８…フラッシュメモリ
Ａ…中央エリア
Ｓ…周辺エリア
【図１】
2004201224.tif 000003
【図２】
2004201224.tif 000004
【図３】
2004201224.tif 000005
【図４】
2004201224.tif 000006
【図５】
2004201224.tif 000007
【図６】
2004201224.tif 000008
【図７】
2004201224.tif 000009
【図８】
2004201224.tif 000010
【図９】
2004201224.tif 000011
【図１０】
2004201224.tif 000012